(57)【特許請求の範囲】
【請求項１】
浴槽から浴水を汲み上げて浄化して浴槽に戻すための循環管路中に循環ポンプと浴水を濾過して浄化するための濾過装置を設けた浴水浄化循環装置において、前記濾過装置は、前記循環管路に接続された流入口と流出口とが夫々設けられた横型をなしたユニット本体と蓋体とを備え、前記濾過装置の内部に粒状濾過材を充填すると共に、前記濾過装置の内側に浴水の移動方向に移動可能に配置されて、前記粒状濾過材を保持すると共に浴水が通過するための多数の小径孔が形成されるとともに、中央部は板状遮蔽部からなる網板と、該網板を前記粒状濾過材に常に押圧する弾性体とを更に備えて、前記粒状濾過材を隙間なく固定状態に保持するようにし、前記弾性体は、発泡合成樹脂であって、前記ユニット本体の流入口側の側壁部と網板との間に介在されると共に、前記流入口側の側壁部の外周箇所で筒部内に環状をなして介在されてなることを特徴とする浴水浄化循環装置における濾過装置。
【請求項２】
浴槽から浴水を汲み上げて浄化して浴槽に戻すための循環管路中に循環ポンプと浴水を濾過して浄化するための濾過装置を設けた浴水浄化循環装置において、前記濾過装置は、前記循環管路に接続された流入口と流出口とが夫々設けられた横型をなしたユニット本体と蓋体とを備え、前記濾過装置の内部に粒状濾過材を充填すると共に、前記濾過装置の内側に浴水の移動方向に移動可能に配置されて、前記粒状濾過材を保持すると共に浴水が通過するための多数の小径孔が形成されるとともに、中央部は板状遮蔽部からなる流入側網板と、前記濾過装置の内側の流出口側に配置されて、前記濾過装置の内側の流出口に空隙部を設けて配置されて浴水が通過するための多数の小径孔が形成されるとともに、中央部は板状遮蔽部からなる流出側網板と、該流出側網板と前記流入側網板との間の前記粒状濾過材を常に押圧する弾性体とを更に備えて、前記粒状濾過材を隙間なく固定状態に保持するようにし、前記弾性体は、発泡合成樹脂であって、前記ユニット本体の流入口側の側壁部と網板との間に介在されると共に、前記流入口側の側壁部の外周箇所で筒部内に環状をなして介在されてなることを特徴とする浴水浄化循環装置における濾過装置。
【発明の詳細な説明】
【０００１】
【産業上の利用分野】
本発明は、浴槽湯をポンプにより循環し、その配管中の濾過装置において、該濾過装置の方向が何れであっても、粒状濾過材が流速力にて暴れることがなく、整然としてセットできる浴水浄化循環装置における濾過装置に関する。
【０００２】
【従来の技術】
従来の浴槽浄化装置の濾過ユニットでは、濾材として活性炭、セラミックボール等の軽い粒状の濾材を用いる場合、濾過ユニット本体内に直接又は間接的（バケット・網袋）に活性炭、セラミックボール等を詰め、水を濾過ユニット本体の上部より下部（鉛直方向）へ流す方法が用いられており、特に濾材を固定する手段を用いていなかった。そのため、水流により濾材が暴れ、濾材同士が擦れ合うことにより、濾材に付着した汚れ、又は濾材自体の磨耗粉が濾過ユニットより浴槽内に流出してしまう欠点があった。
【０００３】
【発明が解決しようとする課題】
以上のようなことにより、浴槽湯をポンプにより循環し、その配管中に濾過手段を配備し、浴槽湯を浄化する装置の濾過装置において、該濾材タンクを特に、横置きにした場合、重力と水の流れが同一方向でないため、濾材と濾材ユニット本体との間に僅かな空隙が存在すると濾材が暴れるため、確実に濾材を固定することが必要とされている。
【０００４】
【課題を解決するための手段】
そこで発明者は、前記課題を解決すべく、鋭意，研究を重ねた結果、本発明を、浴槽から浴水を汲み上げて浄化して浴槽に戻すための循環管路中に循環ポンプと浴水を濾過して浄化するための濾過装置を設けた浴水浄化循環装置において、前記濾過装置は、前記循環管路に接続された流入口と流出口とが夫々設けられた横型をなしたユニット本体と蓋体とを備え、前記濾過装置の内部に粒状濾過材を充填すると共に、前記濾過装置の内側に浴水の移動方向に移動可能に配置されて、前記粒状濾過材を保持すると共に浴水が通過するための多数の小径孔が形成されるとともに、中央部は板状遮蔽部からなる網板と、該網板を前記粒状濾過材に常に押圧する弾性体とを更に備えて、前記粒状濾過材を隙間なく固定状態に保持するようにし、前記弾性体は、発泡合成樹脂であって、前記ユニット本体の流入口側の側壁部と網板との間に介在されると共に、前記流入口側の側壁部の外周箇所で筒部内に環状をなして介在されてなることを特徴とする浴水浄化循環装置における濾過装置としたことにより、濾過装置の方向が何れであっても、粒状濾過材が流速力にて暴れることがなく、整然としてセットでき、前記の課題を解決したものである。
【０００５】
【実施の態様】
以下、本発明の実施の形態について図面に基づいて説明する。図１に示すように、浴水循環装置は、浴水を循環させるための循環ポンプ１と、浴水を殺菌する紫外線等による殺菌装置２と、微細なごみ及び汚れなる不純物を浴水から濾過する濾過ユニットＡと、加熱するシーズヒータ等のヒータ３と、前記循環ポンプ１にて浴水が浴槽２０から浴槽２０に戻るように循環する循環管路４等とから構成されている。該循環管路４は、循環ポンプ１，殺菌装置２，濾過ユニットＡ，ヒータ３が配置された管路である。その循環ポンプ１，濾過ユニットＡ，殺菌装置２，ヒータ３の順序は、実施の形態の外、適宜の順序にて設けられている。
【０００６】
前記濾過ユニットＡは、図１（Ａ），図２，図３に示すように、ユニット本体５と蓋体６と弾性体８と流入側網板１０，流出側網板１１と粒状濾過材１２とから構成されている。該粒状濾過材１２は活性炭、セラミックボール等の軽い濾材にて構成されている。前記ユニット本体５は、筒部５ａの一側が開放され、その他側は側壁部５ｂが形成され、該側壁部５ｂの略中央位置には小径短管状の流入口５ｃが設けられている。さらに、前記筒部５ａの開放側の周縁には螺子部５ｄが形成されている。前記蓋体６は、円形主蓋６ａの外周に前記ユニット本体５の外径よりは僅かに大径をなした短筒部６ｂが形成され、該短筒部６ｂには前記筒部５ａの螺子部５ｄに螺合する螺子部６ｃが形成され、さらに、円形主蓋６ａの略中央位置には小径短管状の流出口６ｄが設けられている。また、前記短筒部６ｂの基部側と前記円形主蓋６ａの外周位置には、複数の突起片６ｅが複数（実施の形態では４箇所等分）に設けられ、蓋体６をユニット本体５に螺合して締め付けても、その突起片６ｅの間隔分が空隙部７として形成するように構成されている。
【０００７】
前記弾性体８は、発泡合成樹脂又は板バネ材であって、前記ユニット本体５の側壁部５ｂの外周箇所で筒部５ａ内に環状をなして介在され、その弾性体８の弾性力にて常時、筒部５ａの開放側に押圧するように設けられている。前記弾性体８の環状の内側には、筒部５ａの長手方向に対して空隙部９が形成されている。前記流入側網板１０，流出側網板１１は、前記筒部５ａの内径と略同一で、中央箇所に、板状遮断部１０ａ，１１ａが形成され、該板状遮断部１０ａ，１１ａの外周には、網板部１０ｂ，１１ｂが形成され、さらに格子状の補強部片１０ｃ，１１ｃが設けられている。その網板部１０ｂ，１１ｂには、約１mm乃至３mmの小径孔１０ｄ，１１ｄが多数穿孔されている。その流入側網板１０は、ユニット本体５の筒部５ａの奥側の前記弾性体８に接触するように挿入され、その筒部５ａ内には、粒状濾過材１２が略一杯となるように充填され、該粒状濾過材１２を押さえるようにして前記流出側網板１１が筒部５ａの開放側位置に設けられ、これを蓋体６の突起片６ｅ，６ｅ，…にて押圧するようにして、ユニット本体５と蓋体６とが螺合されている。
【０００８】
図２では、横型をなした濾過ユニットＡであるが、縦型にしたり、斜め型にすることもある。縦型や斜め型の場合には、下側が流入口５ｃとなり、上側が流出口６ｄとなるようにセットされる。
【０００９】
図面では、前述の弾性体８は、流入側網板１０，流出側網板１１を介して粒状濾過材１２を固定状態に保持することである。このため、濾過ユニットＡの奥部に、弾性体８が設けられた実施の形態であるが、場合によっては、該弾性体８が蓋体６の箇所に設けられることもある。以上のように、弾性体８が、粒状濾過材１２を流入側網板１０，流出側網板１１を介して固定状態を保持できれば弾性体８の取付位置には制限されない。
【００１０】
【作用】
このようなセットされた濾過ユニットＡにおいて、浴水循環させると、その弾性体８にて、ユニット本体５内の粒状濾過材１２を流入側網板１０を介して押圧しており、浴水の流れ力等によって粒状濾過材１２の一部がこすれあって磨滅して、その容積が僅かに縮小されたときに、その弾性力にて流入側網板１０を僅かに動かすようになり、最初にセットした空隙部９の間隔をＬとすると、該間隔はＬ＋αとなり、この状態にても粒状濾過材１２を隙間なく押圧する作用をなす。
【００１１】
【発明の効果】
請求項１の発明においては、浴槽２０から浴水を汲み上げて浄化して浴槽２０に戻すための循環管路４中に循環ポンプ１と浴水を濾過して浄化するための濾過装置を設けた浴水浄化循環装置において、前記濾過装置は、前記循環管路４に接続された流入口５ｃと流出口６ｄとが夫々設けられた横型をなしたユニット本体５と蓋体６とを備え、前記濾過装置の内部に粒状濾過材１２を充填すると共に、前記濾過装置の内側に浴水の移動方向に移動可能に配置されて、前記粒状濾過材１２を保持すると共に浴水が通過するための多数の小径孔が形成されるとともに、中央部は板状遮蔽部からなる網板と、該網板を前記粒状濾過材１２に常に押圧する弾性体８とを更に備えて、前記粒状濾過材１２を隙間なく固定状態に保持するようにし、前記弾性体８は、発泡合成樹脂であって、前記ユニット本体５の流入口５ｃ側の側壁部５ｂと網板との間に介在されると共に、前記流入口５ｃ側の側壁部５ｂの外周箇所で筒部５ａ内に環状をなして介在されてなることを特徴とする浴水浄化循環装置における濾過装置としたことにより、従来のように縦型で上から浴水が流入するものではなく、その崩れやすい粒状濾過材１２であったとしても、該粒状濾過材１２を弾性体８にて常時押圧するようになり、活性炭、セラミックボール等の軽い粒状の濾材なる粒状濾過材１２を確実に固定することができ、水流により粒状濾過材１２が暴れ、濾材同士が擦れ合うことにより、濾材に付着した汚れ、または濾材自体の磨耗粉が濾過ユニットＡ内より浴槽２０内に流出してしまうことを防止することができる。浴水は、板状遮断部１０ａ，１１ａを除いた周縁となり、常時浴水の流れは粒状濾過材１２の外周箇所をも流れ、効率の良い濾過ができる利点がある。
【００１２】
請求項２の発明においては、浴槽２０から浴水を汲み上げて浄化して浴槽２０に戻すための循環管路４中に循環ポンプ１と浴水を濾過して浄化するための濾過装置を設けた浴水浄化循環装置において、前記濾過装置は、前記循環管路に接続された流入口５ｃと流出口６ｄとが夫々設けられた横型をなしたユニット本体５と蓋体６とを備え、前記濾過装置の内部に粒状濾過材１２を充填すると共に、前記濾過装置の内側に浴水の移動方向に移動可能に配置されて、前記粒状濾過材１２を保持すると共に浴水が通過するための多数の小径孔１０ｄが形成されるとともに、中央部は板状遮蔽部１０ａからなる流入側網板１０と、前記濾過装置の内側の流出口６ｄ側に配置されて、前記濾過装置の内側の流出口６ｄに空隙部を設けて配置されて浴水が通過するための多数の小径孔１１ｄが形成されるとともに、中央部は板状遮蔽部１１ａからなる流出側網板１１と、該流出側網板１１と前記流入側網板１０との間の前記粒状濾過材１２を常に押圧する弾性体８とを更に備えて、前記粒状濾過材１２を隙間なく固定状態に保持するようにし、前記弾性体８は、発泡合成樹脂であって、前記ユニット本体５の流入口５ｃ側の側壁部５ｂと網板との間に介在されると共に、前記流入口５ｃ側の側壁部５ｂの外周箇所で筒部５ａ内に環状をなして介在されてなることを特徴とする浴水浄化循環装置における濾過装置としたことにより、ユニット本体５の奥部に弾性体８が存在しており、仮に、粒状濾過材１２が可なり大きく崩れるようなことがあっても、ユニット本体５ゆえに長さも長いために追従が確実にでき、粒状濾過材１２の暴れ等を確実に防止できる利点がある。
【図面の簡単な説明】
【図１】（Ａ）は本発明の要部拡大断面図
（Ｂ）は本発明の概要を示す概略図
【図２】濾過装置の一部切除した斜視図
【図３】濾過ユニットを浴水が流れる状態の断面図
【図４】（Ａ）は蓋体の一部切除した斜視図
（Ｂ）は流入側網板又は流出側網板を表面側から見た斜視図
（Ｃ）は流入側網板又は流出側網板を裏面側から見た斜視図
（Ｄ）は（Ａ）のＱ−Ｑ矢視断面図
【図５】粒状濾過材の集合体を弾性体にて長さαだけ縮めた状態の断面図
【図６】（Ａ）はバネとした弾性体の斜視図
（Ｂ）はバネを装着した本発明の要部断面図
【符号の説明】
５…ユニット本体
６…蓋体
７，９…空隙部
８…弾性体
１０…流入側網板
１０ａ，１１ａ…板状遮断部
１１…流出側網板
１２…粒状濾過材
【図１】
0003953143.tif 000002
【図２】
0003953143.tif 000003
【図３】
0003953143.tif 000004
【図４】
0003953143.tif 000005
【図５】
0003953143.tif 000006
【図６】
0003953143.tif 000007